【手続補正書】
【提出日】平成17年3月7日(2005.3.7)
【手続補正１】
【補正対象書類名】明細書
【補正対象項目名】発明の名称
【補正方法】変更
【補正の内容】
【発明の名称】発光装置、電子機器
【手続補正２】
【補正対象書類名】明細書
【補正対象項目名】特許請求の範囲
【補正方法】変更
【補正の内容】
【特許請求の範囲】
【請求項１】
直列に接続された複数のトランジスタを含む駆動用素子、第１のスイッチ、第２のスイッチ、第３のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチは、前記複数のトランジスタと電源線の導通を制御し、
前記第３のスイッチは、前記複数のトランジスタと前記自発光素子の導通を制御し、
前記第１のスイッチ、前記第２のスイッチ及び前記複数のトランジスタがオンのとき、前記複数のトランジスタの各々に、前記画素に対する映像信号の入力に基づく第１の電流が流れ、
前記第１のスイッチと前記第２のスイッチがオフであり、前記第３のスイッチと前記複数のトランジスタがオンのとき、前記複数のトランジスタの各々と前記自発光素子に、前記映像信号に基づく第２の電流が流れ、
前記自発光素子の対向電極の電位を変えることにより、前記自発光素子に逆方向バイアスの電圧を印加することを特徴とする発光装置。
【請求項２】
直列に接続された複数のトランジスタを含む駆動用素子、第１のスイッチ、第２のスイッチ、第３のスイッチ、第４のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチと前記第４のスイッチは、前記複数のトランジスタと電源線の導通を制御し、
前記第３のスイッチは、前記複数のトランジスタと前記自発光素子の導通を制御し、
前記第１のスイッチ、前記第２のスイッチ及び前記複数のトランジスタがオンのとき、前記複数のトランジスタの各々に、前記画素に対する映像信号の入力に基づく第１の電流が流れ、
前記第１のスイッチと前記第２のスイッチがオフであり、前記第３のスイッチと前記複数のトランジスタがオンのとき、前記複数のトランジスタの各々と前記自発光素子に、前記映像信号に基づく第２の電流が流れ、
前記第４のスイッチがオンのとき、前記複数のトランジスタはオフになり、
前記自発光素子の対向電極の電位を変えることにより、前記自発光素子に逆方向バイアスの電圧を印加することを特徴とする発光装置。
【請求項３】
直列に接続された複数のトランジスタを含む駆動用素子、第１のスイッチ、第２のスイッチ、第３のスイッチ、第４のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチは、前記複数のトランジスタと第１の電源線の導通を制御し、
前記第３のスイッチは、前記複数のトランジスタと前記自発光素子の導通を制御し、
前記第４のスイッチは、前記自発光素子と第２の電源線の導通を制御することを特徴とする発光装置。
【請求項４】
直列に接続された複数のトランジスタを含む駆動用素子、第１のスイッチ、第２のスイッチ、第３のスイッチ、第４のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチは、前記複数のトランジスタと第１の電源線の導通を制御し、
前記第３のスイッチは、前記複数のトランジスタと前記自発光素子の導通を制御し、
前記第４のスイッチは、前記自発光素子と第２の電源線の導通を制御し、
前記第１のスイッチ、前記第２のスイッチ及び前記複数のトランジスタがオンのとき、前記複数のトランジスタの各々に、前記画素に対する映像信号の入力に基づく第１の電流が流れ、
前記第１のスイッチと前記第２のスイッチがオフであり、前記第３のスイッチと前記複数のトランジスタがオンのとき、前記複数のトランジスタの各々と前記自発光素子に、前記映像信号に基づく第２の電流が流れ、
前記第３のスイッチがオフであり、前記第４のスイッチがオンのとき、前記自発光素子に逆方向バイアスの電圧が印加されることを特徴とする発光装置。
【請求項５】
直列に接続された複数のトランジスタを含む駆動用素子、第１のスイッチ、第２のスイッチ、第３のスイッチ、第４のスイッチ、第５のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチと前記第５のスイッチは、前記複数のトランジスタと第１の電源線の導通を制御し、
前記第３のスイッチは、前記複数のトランジスタと前記自発光素子の導通を制御し、
前記第４のスイッチは、前記自発光素子と第２の電源線の導通を制御することを特徴とする発光装置。
【請求項６】
直列に接続された複数のトランジスタを含む駆動用素子、第１のスイッチ、第２のスイッチ、第３のスイッチ、第４のスイッチ、第５のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチと前記第５のスイッチは、前記複数のトランジスタと第１の電源線の導通を制御し、
前記第３のスイッチは、前記複数のトランジスタと前記自発光素子の導通を制御し、
前記第４のスイッチは、前記自発光素子と第２の電源線の導通を制御し、
前記第１のスイッチ、前記第２のスイッチ及び前記複数のトランジスタがオンのとき、前記複数のトランジスタの各々に、前記画素に対する映像信号の入力に基づく第１の電流が流れ、
前記第１のスイッチと前記第２のスイッチがオフであり、前記第３のスイッチと前記複数のトランジスタがオンのとき、前記複数のトランジスタの各々と前記自発光素子に、前記映像信号に基づく第２の電流が流れ、
前記第５のスイッチがオンのとき、前記複数のトランジスタはオフになり、
前記第３のスイッチがオフであり、前記第４のスイッチがオンのとき、前記自発光素子に逆方向バイアスの電圧が印加されることを特徴とする発光装置。
【請求項７】
請求項１乃至請求項６のいずれか１項において、
前記第１のスイッチは、少なくとも２つのトランジスタを含むことを特徴とする発光装置。
【請求項８】
請求項１乃至請求項６のいずれか１項において、
前記第２のスイッチは、少なくとも１つのトランジスタを含むことを特徴とする発光装置。
【請求項９】
請求項１乃至請求項６のいずれか１項において、
前記第３のスイッチは、少なくとも１つのトランジスタを含むことを特徴とする発光装置。
【請求項１０】
請求項１乃至請求項６のいずれか１項において、
前記第４のスイッチは、トランジスタであることを特徴とする発光装置。
【請求項１１】
請求項３乃至請求項６のいずれか１項において、
前記第４のスイッチは、ゲートとドレインが接続されたトランジスタ、又はダイオードであることを特徴とする発光装置。
【請求項１２】
請求項５又は請求項６において、
前記第５のスイッチは、少なくとも１つのトランジスタを含むことを特徴とする発光装置。
【請求項１３】
請求項１、請求項２、請求項４又は請求項６において、
前記第１の電流ＩW、前記第２の電流ＩE、及び前記複数のトランジスタの個数ｎ（ｎは自然数）は、ＩW＝ｎ2×ＩEを満たすことを特徴とする発光装置。
【請求項１４】
請求項１乃至請求項１３のいずれか１項において、
前記画素には容量素子が設けられており、
前記容量素子は、前記複数のトランジスタのゲート電極の電位を保持することを特徴とする発光装置。
【請求項１５】
請求項１乃至請求項１４のいずれか一項において、
駆動回路が設けられており、
前記画素と前記駆動回路は、同じ基板上に設けられていることを特徴とする発光装置。
【請求項１６】
請求項１乃至請求項１４のいずれか一項において、
駆動回路が設けられており、
前記画素と前記駆動回路は、同じ基板上に設けられており、
前記駆動回路は、走査線駆動回路を有することを特徴とする発光装置。
【請求項１７】
請求項１乃至請求項１４のいずれか一項において、
駆動回路が設けられており、
前記画素と前記駆動回路は、同じ基板上に設けられており、
前記駆動回路は、信号線駆動回路を有することを特徴とする発光装置。
【請求項１８】
請求項１乃至請求項１４のいずれか一項において、
駆動回路が設けられており、
前記画素と前記駆動回路は、同じ基板上に設けられており、
前記駆動回路は、信号線駆動回路と走査線駆動回路を有することを特徴とする発光装置。
【請求項１９】
請求項１７又は請求項１８において、
前記信号線駆動回路は、電圧形式の映像信号を電流形式の映像信号に変換する動作又は電圧形式のビデオ信号を増幅する動作を行う電圧電流変換回路を有することを特徴とする発光装置。
【請求項２０】
請求項１乃至請求項１９のいずれか一項において、
前記自発光素子は、有機発光ダイオードであることを特徴とする発光装置。
【請求項２１】
請求項１乃至請求項２０のいずれか一項に記載の前記発光装置を用いた電子機器。
【手続補正３】
【補正対象書類名】明細書
【補正対象項目名】００６５
【補正方法】変更
【補正の内容】
【００６５】
図３（Ａ）に示す画素１１においては、第１スイッチ１２又は第２スイッチ１３のトランジスタ５１〜５４、第４スイッチ１８のトランジスタ６０はｎチャネル型であり、第３スイッチ１４のトランジスタ５５はｐチャネル型である。これは、図２（Ａ）（Ｂ）の例の場合と異なっている。しかしこれは、スイッチのトランジスタのチャネル型に関して、特に制限がないことを例示したものにすぎない。
【手続補正４】
【補正対象書類名】明細書
【補正対象項目名】００７３
【補正方法】変更
【補正の内容】
【００７３】
図４（Ａ）には、j行i列目に配置された画素１１を示す。そして画素１１は、信号線(Si)、電源線(Vi)、第１走査線(Gaj)、第２走査線(Gbj)、トランジスタ９１〜１０３、１０６、容量素子１０４、自発光素子１０５を有する。図４（Ａ）に示す画素１１は、図１（Ｂ）に示す画素１１を具体的にトランジスタで図示したものであり、ｐチャネル型のトランジスタ９１〜９４は第１スイッチ１２に相当する。ｐチャネル型のトランジスタ９５〜９８は第２スイッチ１３に相当し、ｎチャネル型のトランジスタ９９は第３スイッチ１４に相当する。ｐチャネル型のトランジスタ１００〜１０３は駆動用素子１５に相当する。ｎチャネル型のトランジスタ１０６は第４スイッチ１８に相当する。
【手続補正５】
【補正対象書類名】明細書
【補正対象項目名】０１０５
【補正方法】変更
【補正の内容】
【０１０５】
そして、図１１（Ａ）（Ｂ）に示す画素１１に逆方向バイアスを印加するときの動作を図１１（Ｃ）を用いて説明する。第３走査線（Ｇｃｊ）を介してスイッチ１９ｂに信号が入力されて、スイッチ１９ｂが導通状態になると、自発光素子１７に逆方向バイアスが印加される。つまり、スイッチ１９ｂが導通状態になると、電源線(Vai)と自発光素子１７とが電気的に接続された状態になるようにする。このとき、上記電源線(Vai)の電位を発光素子１７の対向電源１９ａの電位よりも低くしておくことで、上記スイッチ１９ｂが導通状態になると同時に、自発光素子１７に逆方向バイアスが印加されるようにする。
【手続補正６】
【補正対象書類名】明細書
【補正対象項目名】０１０６
【補正方法】変更
【補正の内容】
【０１０６】
なおスイッチ１９ｂには、図１１（Ｄ）に示すトランジスタ、図１１（Ｅ）に示すダイオード、図１１（Ｆ）に示すゲート電極とドレイン電極とが接続されたｎチャネル型のトランジスタ、図１１（Ｇ）に示すゲート電極とドレイン電極とが接続されたｐチャネル型のトランジスタなどが用いられる。なお、スイッチ１９ｂとしてトランジスタのような三端子素子を用いるときには、図１１（Ａ）に示す画素１１では第２走査線（Gbj）、図１１（Ｂ）に示す画素１１では第３走査線（Gcj）を配置することが必要だが、図１１（Ｅ）に示すダイオードや、ゲート電極とドレイン電極とが接続されたトランジスタなどの２端子素子を用いるときは、上記のような配線を配置する必要はない。
【手続補正７】
【補正対象書類名】明細書
【補正対象項目名】０１１０
【補正方法】変更
【補正の内容】
【０１１０】
逆方向バイアスを印加する動作は、まず第３走査線（Ｇｃｊ）を介して入力される信号により、トランジスタ１２５が導通状態になると、自発光素子１２１と電源線（Vai）が電気的に接続された状態になる。このとき、電源線（Vai）の電位を、自発光素子１２１の電位よりも低くしておくことで、トランジスタ１２５が導通状態になると同時に、自発光素子１２１に逆方向バイアスを印加することが出来る。
【手続補正８】
【補正対象書類名】明細書
【補正対象項目名】０１１４
【補正方法】変更
【補正の内容】
【０１１４】
図６には、j行i列目の画素１１を示す。図６において、二点破線で囲んだ領域が画素１１に相当する。点模様の領域は、ポリシリコン膜である。右上り斜線と右下り二重斜線は、それぞれ別の層の導電体膜（金属膜等）である。バツ印は層間の接触点を示す。そして、チェック模様の領域８６は自発光素子８４の陽極に相当する。
【手続補正９】
【補正対象書類名】明細書
【補正対象項目名】０１２６
【補正方法】変更
【補正の内容】
【０１２６】
次いで、信号線駆動回路１８０３の例を、図７（Ｃ）を用いて説明する。図７（Ｃ）に示す信号線駆動回路１８０３は、シフトレジスタ１８３１、第１のラッチ回路１８３２、第２のラッチ回路１８３３、電圧電流変換回路１８３４を有している。